(57)【要約】  事前位置合わせ光学層（２２〜３０）は、光学層上に積層された接着層（３２）が少なくとも最上層（３０）と最下層（２２）とに接するように積層されるとともに配置されている。その結果得られるサブアセンブリ（３６、３８）を、層を個々に取り扱うことなく光学ディスプレイ（１０ａ）に組み立てることが可能であり、組み込み時間と製造コストを削減する。
2008527460.tif 000002
【特許請求の範囲】
【請求項１】
最上部フィルムと最下部フィルムとを有する複数の積層光学フィルムと、
前記積層の前記最上部および最下部フィルムと接して、前記積層をユニットとして一緒に保持する第１の接着層とを備え、
前記積層の前記光学フィルムを個々に扱うことなく、前記積層が光学ディスプレイに組み立てられる、光学ディスプレイで用いる光学サブアセンブリ。
【請求項２】
前記積層の前記最上部フィルムと最下部フィルムとの間に少なくとも１つの中間フィルムをさらに備える、請求項１に記載の光学サブアセンブリ。
【請求項３】
前記光学フィルムの縁部がずれているとともに、
前記積層の２つの隣接フィルム間に第２の接着層をさらに備える、請求項２に記載の光学サブアセンブリ。
【請求項４】
前記光学フィルムが、各光学フィルムが前記第１の接着層と接するように構成される、請求項２に記載の光学サブアセンブリ。
【請求項５】
前記光学フィルムおよび前記第１の接着層の縁部がずれている、請求項４に記載の光学サブアセンブリ。
【請求項６】
少なくとも１つの光学フィルムの周囲の少なくとも一部分が、前記第１の接着層を前記最下部フィルムと接触可能にするような形状にされる、請求項１に記載の光学サブアセンブリ。
【請求項７】
少なくとも１つの光学フィルムが空隙を含み、前記第１の接着層を前記最下部フィルムと接触可能にする、請求項１に記載の光学サブアセンブリ。
【請求項８】
前記最下部フィルムの下に積層された導光板をさらに備え、前記導光板が前記第１の接着層を前記導光板に接触可能にするように構成される、請求項１に記載の光学サブアセンブリ。
【請求項９】
第１の周囲を有する導光板と、
光学フィルムユニットとを備え、前記光学フィルムユニットが、
複数の積層光学フィルムと、
前記導光板の前記第１の周囲を越えて延在する第２の周囲を有し、前記光学フィルムおよび導光板の露出部分と接する接着層とを備え、
各光学フィルムが周囲を有し、前記複数の積層光学フィルムが第１および第２の外部光学フィルムを含み、前記第１の外部光学フィルムが前記導光板に隣接しており、前記第１の外部光学フィルムの周囲の少なくとも一部分が前記導光板の一部分が露出するように前記導光板の前記第１の周囲から引っ込んでおり、各残りの光学フィルムの周囲の少なくとも一部分が少なくとも前記第２の外部光学フィルムの一部分が露出されるように引っ込んでいる、光学フィルムパッケージ。
【請求項１０】
前記接着層がフレームタイプの形状を有する、請求項９に記載の光学フィルムパッケージ。
【請求項１１】
前記接着層がフレームタイプの形状の一部分を有する、請求項９に記載の光学フィルムパッケージ。
【請求項１２】
前記複数の積層光学フィルムが事前位置合わせされる、請求項９に記載の光学フィルムパッケージ。
【請求項１３】
バックライトユニットと、
ディスプレイパネルユニットと、
前記バックライトユニットと前記ディスプレイパネルユニットとの間に位置決めされた光学フィルムユニットとを備え、
前記光学フィルムユニットが、複数の事前位置合わせされた積層光学フィルムを備え、少なくとも前記積層の最上部光学フィルムと前記積層の最下部光学フィルムとが接着層に接している光学ディスプレイ。
【請求項１４】
前記バックライトユニットが、
導光板と、
少なくとも１つの光源とをさらに備える、請求項１３に記載の光学ディスプレイ。
【請求項１５】
前記接着層が、前記光学フィルムユニットを前記ディスプレイパネルユニットに固定する、請求項１３に記載の光学ディスプレイ。
【請求項１６】
前記接着層が、ごみの進入点がないように前記光学フィルムユニットの縁部を封止する、請求項１３に記載の光学ディスプレイ。
【請求項１７】
前記光学フィルムが各々少なくとも１つの縁部を含み、ある距離だけ連続して引っ込んでいる、請求項１３に記載の光学ディスプレイ。
【請求項１８】
前記距離が約２．０ｍｍ以下である、請求項１３に記載の光学ディスプレイ。
【請求項１９】
前記距離が約１．０ｍｍ以下である、請求項１３に記載の光学ディスプレイ。
【発明の詳細な説明】
【技術分野】
【０００１】
本発明は光学ディスプレイに関する。特に本発明は光学ディスプレイに組み立てるための事前積層光学フィルムに関する。
【背景技術】
【０００２】
バックライト付き液晶ディスプレイ（ＬＣＤ）などの光学ディスプレイは、携帯電話、携帯端末（ＰＤＡ）、コンピュータゲーム、ラップトップコンピュータ、モニタ、およびテレビ画面を始めとする多種多様な用途に用いられる。バッテリ寿命を犠牲にすることなく輝度を強化するとともに表示性能を改善するために、光学フィルムが光学ディスプレイ内に積層されている。
【０００３】
現在、ディスプレイに用いられるフィルムは製造業者に個々のフィルムとして提供される。フィルムはフィルムを配向および位置決めする際に有用であるとともに、シートをカバーしてフィルムの表面を保護するタブを含む。ディスプレイの組み立て中、フィルムのカバーシートが除去されてフィルムが一枚ずつ、バックライトアセンブリとＬＣＤパネルとの間に嵌合するフレーム内に積層される。両面塗布リムテープは積層フィルムを覆って配置され、フィルムの縁部を封止する。そしてカバーシートはリムテープを覆って配置される。このディスプレイを完成するために、カバーシートを除去するとともにＬＣＤパネルをリムテープに接着させる。
【０００４】
このプロセスは難しく且つ時間および材料の点でコストがかかる。フィルム上にタブを作製することは、作製される材料の廃棄量を増加させるとともに、タブを被覆するためにディスプレイの周囲に延在しなければならないベゼルまたは縁部の幅を増大させる。タブがリムテープの縁部に延在しているため、フィルム間にごみを進入させて沈着させる経路が作成される。カバーシートを個々のフィルムから除去することは、組み立て時間およびフィルムにダメージを与える可能性を増加させる。加えて光学フィルムが薄くなればなるほど、個々の光学フィルムを扱うことがますます困難になる。このためこれらの問題を解決することは、組み立て効率を増すとともに損傷フィルム数を低減することにより製品出力を増大させることになる。
【発明の開示】
【課題を解決するための手段】
【０００５】
本発明は複数の積層光学フィルムと接着層とを含む光学ディスプレイで用いる光学サブアセンブリである。接着層は積層の最上部および最下部フィルムと接して、積層をユニットとして一緒に保持するため、積層の光学フィルムを個々に扱うことなく積層は光学ディスプレイに組み立てられる。
【発明を実施するための最良の形態】
【０００６】
図１ａは光学ディスプレイ１０ａの概略図を示すが一律の縮尺ではない。光学ディスプレイ１０ａはシャーシ１２と、反射板１６と、導光板１８と、光源２０とを有するバックライト１４と、拡散板２２と、プリズムフィルム２４および２６と、拡散板２８と、反射型偏光板３０と、接着層３２と、ディスプレイパネル３４と、光学フィルムユニット３６（要素２２〜３２により形成される）と、光学フィルムパッケージ３８（光学フィルムユニット３６と導光板１８）とを含む。
【０００７】
シャーシ１２は通例、光学ディスプレイ１０の構成要素を支持するプラスチックフレームである。この実施形態においてバックライトユニット１４は、導光板１８と一緒に反射板１６の１つまたは複数の層と、光源２０とを含む。導光板１８は光を指向する特別な特徴を有し得るとともに、図示のようなスラブの形態またはウェッジなどの他の形態を取ることができる。
【０００８】
光源２０は蛍光灯、発光ダイオード、または直下型などの任意の適当なタイプの光源であり得る。光源２０からの光は導光板１８を介してディスプレイパネル３４に向けられる。
【０００９】
次に拡散板２２は導光板１８上に積層される。拡散板２２は導光板１８からの光の強度を均質化する。
【００１０】
プリズムフィルム２４および２６は拡散板２２上に積層される。フィルム２４および２６は光をディスプレイパネル３４に向けるプリズムアレイを含む。フィルム２４および２６は、それらのプリズムアレイが互いに平行に延在する、またはより一般的にはプリズムアレイが互いに非平行に延在するように配置し得る。図示のようにこの実施形態において、プリズムアレイは互いに対して垂直に延在している。
【００１１】
拡散板２８はプリズムフィルム２６上に積層される。拡散板２８は通例比較的脆弱な拡散板であるとともに、拡散板２２に関して説明したように、光強度をより均一になるように均質化する。
【００１２】
積層された最後のフィルムは反射型偏光板３０である。反射型偏光板３０は、多重ポリマフィルム、コレステリック偏光板、またはワイヤグリッド偏光板を始めとする、多数のタイプの反射型偏光板のうちのいずれかであり得る。反射型偏光板３０は、不適切な偏光状態であるとともに画像光として透過しない光を再循環する。
【００１３】
通例反射型偏光板３０はパネル３４の背面にラミネートされている。しかし本明細書に図示した場合および以下の実施形態のように、反射型偏光板３０は他の層と一緒に積層され得る。
【００１４】
次の層は接着層３２（太線）である。接着層３２は通例両面塗布リムテープまたは遮光フレームであるが、接着コーティングでもあってもよい。接着層３２の一面は黒色であるとともにディスプレイパネル３４に接している。反対面は白色または銀色に着色されるとともに、その下層の各々の一部分と接している。光はフィルム層の周囲で漏れやすいとともに、接着層３２の反射面はそのもれた光を再循環して再指向させる。黒色表面は時にはその周辺に沿って形成される輝線である、光学ディスプレイの周囲の「後光効果」を低減する。用い得る適当なリムテープには、スリーエム・カンパニー（３Ｍ  Ｃｏｍｐａｎｙ）の、ブラック・アンド・ホワイト・ダブル・コーテッド・ポリエステル・テープ（Ｂｌａｃｋ  ａｎｄ  Ｗｈｉｔｅ  Ｄｏｕｂｌｅ  Ｃｏａｔｅｄ  Ｐｏｌｙｅｓｔｅｒ  Ｔａｐｅ）４００３Ｓ、４００３Ｔ、４００７、４０３７、および４０４０、ならびにブラック・アンド・シルバー・ダブル・コーテッド・ポリエステル・テープ（Ｂｌａｃｋ  ａｎｄ  Ｓｉｌｖｅｒ  Ｄｏｕｂｌｅ  Ｃｏａｔｅｄ  Ｐｏｌｙｅｓｔｅｒ  Ｔａｐｅ）５１７３がある。必要に応じてスリーエム・カンパニー（３Ｍ  Ｃｏｍｐａｎｙ）の、ブラック・アンド・ホワイト・シングル・コーテッド・ポリエステル・テープ（Ｂｌａｃｋ  ａｎｄ  Ｗｈｉｔｅ  Ｓｉｎｇｌｅ  Ｃｏａｔｅｄ  Ｐｏｌｙｅｓｔｅｒ  Ｔａｐｅ）４０３８および４０３９も用い得る。
【００１５】
なお層２２〜３０は一実施形態を表わしている。ニーズおよび要求に応じて、層２２〜３０のいくつかは省略、追加、または交換し得る。例えばプリズムが上向きまたは下向きである回転フィルムがプリズムフィルム２４および２６と置換し得るか、またはプリズムを有するビキュイティ（Ｖｉｋｕｉｔｉ）ＢＥＦ−ＲＰ９０／２４反射型偏光板が追加され得る。加えて各層は徐々に小さくなるとともに、それらの縁部または周囲は層の一部分が接着層３２に接するように連続して引っ込んでおり、以下により詳細に説明する。
【００１６】
接着層３２は層２２〜３０に接して、光学フィルムユニット３６を形成し得る。代替的には接着層３２は導光板１８にさらに接して、光学フィルムパッケージ３８を形成し得る。光学フィルムユニット３６および光学フィルムパッケージ３８を光学サブアセンブリと称し得る。ユニット３６およびパッケージ３８は、光学ディスプレイ１０の組み立てのために製造業者に配送される前に組み立てられる。それらの層は事前位置合わせされるためタブは必要ない。接着層３２は層の縁部を封止し、ごみの進入点を排除する。しかし以下に示すように接着層３２が含まれる層の周囲を完全に囲むことは必要ない。
【００１７】
図１ｂは光学ディスプレイ１０ｂの概略図である。ディスプレイ１０ｂはディスプレイ１０ａと同じ層を含むが、接着層２５をさらに含む。
【００１８】
導光板１８、拡散板２２、およびプリズムフィルム２４は前に示したように連続して小さくなる。接着層２５はプリズムフィルム２４上に積層されるとともに接着層３２と同様な大きさに形成されており、接着層２５の一面が層１８〜２４または２２〜２４の各々と接するとともに固定するようになっている。次にプリズムフィルム２６、拡散板２８、および反射型偏光板３０が積層されている。しかし図１ａのようにサイズが小さくなり続ける代わりに、各層は連続して大きくなる。そしてディスプレイ１０ａに対して示したものと同一の大きさに形成された接着層３２が反射型偏光板３０上に積層される。接着層２５の残りの表面は層２６〜３２に接する。
【００１９】
接着層２５は接着層３２とは異なりリムテープではないが、任意のタイプの適当な両面塗布テープである。この実施形態によればこれらの層はより安定しているとともに、ディスプレイ１０ｂの最も小さい層はディスプレイ１０ａの最も小さい層より大きい。このため層の全体サイズを増すことなくより大きい視認領域が提供される。
【００２０】
図１ｃは光学ディスプレイ１０ｃの概略図である。またディスプレイ１０ｃはディスプレイ１０ａと同じ層を含む。
【００２１】
ここで導光板１８は層２２〜３０より大きい。層２２〜３０は同じサイズであるとともに、接着層３２は導光板１８の一部分と反射型偏光板３０とのみ接している。残りの層は導光板１０と反射型偏光板３０との間で先細になっているとともに、各層の縁部はごみが進入しないように封止されている。
【００２２】
なおユニット３６を形成するために、拡散板２２は接着層３２に接着するために残りの層より大きいサイズに形成されることもある。ディスプレイ１０ｂと同様に、最も小さい層はディスプレイ１０ａの最も小さい層より大きく、フィルムの全体サイズを増すことなくより大きい視認領域を提供する。
【００２３】
図２ａおよび２ｂは、光学フィルムユニット３６のそれぞれ上面および側面図である。ユニット３６は外周３２ｐ’と内周３２ｐ”とを有する接着層３２と、外周２８ｐを有する拡散板２８と、外周３０ｐを有する反射型偏光板３０とを含む。リセス距離ｄ１、ｄ２、およびｄ３も図２ａに示されている。簡略化のため２つの層２８および３０が示されている。しかし図１ａ〜１ｃに対して説明したように、光学ディスプレイのための光を管理する際に用いられた任意の数および任意のタイプのフィルムを用い得る。
【００２４】
拡散板２８は上部に積層された反射型偏光板３０を有する下層である。図２ａおよび２ｂ内で明らかであるように、拡散板２８は反射型偏光板３０より大きいとともに、フィルムは外周３０ｐが外周２８ｐから距離ｄ１だけ引っ込むように配置されている。
【００２５】
この実施形態において接着層３２はフレームタイプ形状を有するとともに拡散板２８および反射型偏光板３０を覆って積層される。内周３２ｐ”は外周３０ｐから距離ｄ２だけ引っ込んでいる一方で、外周３２ｐ’は距離ｄ３だけ外周２８ｐを越えて延在している。このように拡散板２８および反射型偏光板３０の各々の一部分が接着層３２に接するとともに接着している。保護カバーシート（図示せず）が接着層３２を覆っておよび最下層の下に積層されていることが理想的である。カバーシートはパネル３４をユニット３６に接着してディスプレイモジュールを作製する前に除去される。適当な保護カバーシートおよびそれらの取り付け方法は、２００３年１２月３１日に出願された米国特許出願第１０／７５０，５５３号明細書に記載されている。
【００２６】
距離ｄ１、ｄ２、およびｄ３は約２．０ｍｍ以下、またはより一般的には約１．０ｍｍ以下である。距離ｄ１〜ｄ３は互いに同一のものでなくてもよいとともに、層の全体周囲のいずれかに沿って均一でなくてもよい。
【００２７】
図２ｂで明らかなように各層の一部分と接するために、接着層３２は層のずれた（ｓｔａｇｇｅｒｅｄ）縁部の外形に適合しなければならない。それは図示の目的のため誇張して示されている。フィルムは薄く、接着層３２は通常このような構造を必要としない。
【００２８】
ユニット３６は各フィルムを個々に扱うより扱いが大幅に容易であるとともに封止されているため、ごみがフィルム間に蓄積しない。フィルムにはタブがないが、それはそれらが事前位置合わせされており、製造業者は光学フィルムユニット３６を正しく位置決めするためにシャーシ内で外周３２ｐ’しか位置合わせする必要がないからである。加えてタブなしフィルムは視認領域の周囲のより狭い境界をもたらす。これにより製造業者は、デバイスの全体サイズを増大することなく視認領域のサイズを増加させることができる。これは携帯電話およびＰＤＡなどの小型デバイスに特に重要である。
【００２９】
図２ｃはユニット３６と同様であるが反射型偏光板３０内に穴４０およびスロット４２を含む光学ユニット３６ａの上面図である。穴４０は円形または正方形などの多数のタイプの形状のうちのいずれかを有し得る。ここに２つが示されているが、外周３０ｐの任意の部分または全部に沿って１つまたは複数あってもよい。穴４０は直径約２ｍｍより小さくなければならないが、通例約０．５ｍｍ〜約１．０ｍｍになる。
【００３０】
スロット４２も示されている。スロット４２は長方形または楕円形などの多数の細長い形状のいずれかを有し得る。外周３０ｐに沿って１つまたは複数のスロット４２があってもよく、穴４０との任意の組み合わせであってもよい。スロット４２は任意の長さを有し得るが、その幅は２ｍｍ未満、通例約０．５ｍｍ〜１．０ｍｍでなければならない。
【００３１】
穴４０およびスロット４２は、外周３０ｐおよび内周３２ｐ”から約０．５０ｍｍ以下でなければならない。通例反射型偏光板３０と同じ大きさに形成されるとともに穴４０および／またはスロット４２も有する追加層が含まれることもある。最下層のみがより大きいサイズに形成されるとともに穴４０またはスロット４２を含まない。このように層の各々は固定されているとともに、いかなるごみの進入からも封止されている。
【００３２】
スロット４２の使用は層をユニットとして固定するが、スロット４２の幅方向の層のいくらかの移動も可能にする。このように本実施形態は必要であれば層間の調整をより良好に容認する。
【００３３】
図２ｄはユニット３６と同様であるが反射型偏光板３０上にノッチ３０ｎを含む光学ユニット３６ｂの上面図である。ここで外周３０ｐは外側へ、ノッチ３０ｎが距離ｄ１だけ引っ込んでいるところを除いて外周２８ｐまで延在している。外周３０ｐに沿って任意のサイズを有する任意の数のノッチ３０ｎがあり得る。ノッチ３０ｎは例えば三角形形状などの任意のタイプの形状を有し得るが、外周３０ｐが外周２８ｐまで外側に延在している必要はない。
【００３４】
図３ａおよび３ｂは光学フィルムユニット３６ｃのそれぞれ上面および側面図である。ユニット３６ｃは縁部２８ａおよび２８ｂを有する拡散板２８と、縁部３０ａおよび３０ｂを有する反射型偏光板３０と、外縁３２’ｏと内縁３２’ｉとを有する接着層３２’と、外縁３２”ｏと内縁３２”ｉとを有する接着層３２”とを含む。リセス距離ｄ１、ｄ２、およびｄ３も含まれる。縁部２８ａは縁部２８ｂと対向しているとともに、同様に縁部３０ａは縁部３０ｂと対向している。
【００３５】
ユニット３６の実施形態とは異なり、フィルムおよび接着層の全周は互いにずれていない。加えて接着層はフレームタイプの形状の一部分のみの形状である。縁部３０ａおよび３０ｂは距離ｄ１だけ、それぞれ縁部２８ａおよび２８ｂから引っ込んでいる。縁部３２’ｉおよび３２”ｉは距離ｄ２だけ、それぞれ縁部３０ａおよび３０ｂから引っ込んでいる。縁部３２’ｏおよび３２”ｏは距離ｄ３だけ、それぞれ縁部２８ａおよび２８ｂを越えて延在している。また距離ｄ１〜ｄ３は互いに同一または各縁部に沿って均一である必要はない。
【００３６】
ユニット３６ｃは、ずれていないとともに接着層を有さない各層の２つの残りの縁部を有するが、ユニット３６ｃはなおユニットとして組み立てられているとともに組み込まれている。利点はユニットと３６ｃが組み込まれたデバイスが、２つの残りの縁部を被覆するために最小ベゼルしか必要としないことである。このようにユニット３６ｃは一次元において最大視認領域を提供する。
【００３７】
拡散板２８および反射型偏光板３０の周囲に沿った任意の２つの縁部は、ずれているとともに接着層３２’および３２”で固定される。加えてユニット３６ｃの第３の縁部をずらして固定することが望ましい場合がある。
【００３８】
図３ｃはユニット３６ｃと同様であるが接着層３２を含むとともに外周３０ｐを示す光学ユニット３６ｄの上面図である。ここで接着層３２は層の全周の周囲に延在するフレームタイプ形状を有する。ユニット３６ｃに示すように縁部２８ａおよび３０ａは互いに対してずれているとともに、縁部２８ｂおよび３０ｂも互いに対してずれている。フィルム２８および３０の残りの２つの縁部はずれておらず、内周３２ｐ”は外周３０ｐから距離ｄ２だけ引っ込んでいる。拡散板２８の残りの縁部は接着層３２と接していない。
【００３９】
またユニット３６ｄは一次元で視認領域を最大にする。加えて追加層がフィルム２８と３０との間に追加され得るが、層は反射型偏光板３０と同じ大きさに形成されて図１ｃ内に示したものと同様な構成を与える。
【００４０】
図４ａおよび４ｂは光学フィルムユニット３６ｅのそれぞれ上面および側面図である。ユニット３６ｅは縁部２８ａを有する拡散板２８と、縁部３０ｂを有する反射型偏光板３０と、外縁３２’ｏと内縁３２’ｉとを有する接着層３２’とを含む。またリセス距離ｄ１、ｄ２、およびｄ３が示されている。
【００４１】
本実施形態において１つの縁部のみが固定されている。拡散板２８は積層の底部にあり、反射型偏光板３０および接着層３２’が続いている。縁部３０ａは距離ｄ１だけ縁部２８ａから引っ込んでいる。縁部３２’ｉは距離ｄ２だけ縁部３０ａから引っ込んでいる。縁部３２’ｏは距離ｄ３だけ縁部２８ａを越えて延在している。ユニット３６ｅの利点は、ユニット３６ｅが単一フィルムではなくなおユニットとして扱われるが、必要に応じてフィルムを扇状に広げて、フィルム間に沈着し得るいかなるごみも除去し得ることである。
【００４２】
図４ｃはユニット３６ｅと同様であるが接着層３２と外周３０ｐとを含む光学ユニット３６ｆの上面図である。縁部２８ａおよび３０ａは互いに対してずれている。残りの縁部はずれておらず、内周３２ｐ”は外周３０ｐから距離ｄ２だけ引っ込んでいる。拡散板２８の残りの縁部は接着層３２と接していない。
【００４３】
また追加層を前述の実施形態のいずれにも追加し得る。例えば図１ｂに示したような追加フィルム層および追加接着層をユニット３６ｆの実施形態と組み合わせてもよい。この例において、各層の１つの縁部のみが連続してずれることになる。すべての実施形態においてリセス距離ｄ１〜ｄ３は通例２．０ｍｍであるが、１．０ｍｍ以下であることが好ましい。
【００４４】
これらの実施形態に示したフィルムおよび接着層は、円形および楕円形を始めとするいかなる外形形状も有することができる。加えてこれらの実施形態は、単に導光板を複数の積層フィルムの底部に追加することにより、光学フィルムパッケージ３８（図１ａ〜１ｃ）に適用される。
【００４５】
図５はシャーシ１２内に組み立てられた光学フィルムユニット３６ｅを示すが一律の縮尺ではない。図５はシャーシ１２と、反射板１６と、導光板１８と、接着層３２’および複数の積層光学フィルム４４を有するユニット３６ｃとを含む。フィルム４４は３つのフィルムを有して示されているが、図１ａ〜１ｃに図示するとともに参照して説明したような任意の数のフィルムを含み得る。
【００４６】
導光板１８はシャーシ１２に取り付けられていえる。ユニット３６ｅは、接着層３２’の縁部をシャーシ１２内に位置決めすることにより組み込まれる。接着層３２’はシャーシ１２に付着してユニット３６ｅを固定する。図５に示したように接着層３２’は、ずれた層の外形とシャーシ１２への取り付けに適合しなければならない。
【００４７】
図６はシャーシ１２ａ内に組み立てられた光学フィルムパッケージ３８ａを示すが一律の縮尺ではない。図６はシャーシ１２ａと、反射板１６と、導光板１８ａ、接着層３２’および複数の積層光学フィルム４４を有するパッケージ３８ａとを含む。
【００４８】
本実施形態においてパッケージ３８ａは接着層３２’をシャーシ１２ａ内に位置決めすることにより組み込まれる。シャーシ１２およびシャーシ１２ａならびに導光板１８および１８ａは、それぞれ光学フィルムユニットまたは光学フィルムパッケージの組み込みに対応するように若干異なっている。また接着層３２’は導光板１８ａ、光学フィルム４４、およびシャーシ１２ａの一部分を接触させるのに必要な外形に適合する。
【００４９】
本発明は光学ディスプレイへの組み込みにより効果的でコストがかからない製品を提供する。光学層は連続ウェブにより事前位置合わせされるとともに一括積層されていてもよく、それは現在行われているような各層を個々に積層することより効率的であるとともに効果的である。層が個々に積層されないため、層は位置決め且つ配向させるための周辺タブも保護カバーシートも必要としない。加えてフィルムを封止してごみが層間に進入しないようにし得る。
【００５０】
好適な実施形態を参照して本発明を説明したが、当業者には本発明の要旨と範囲とから逸脱することなく形状および詳細に変更をなし得ることは理解できよう。
【図面の簡単な説明】
【００５１】
【図１ａ】光学ディスプレイの代表的実施形態の分解図である。
【図１ｂ】光学ディスプレイの代表的実施形態の分解図である。
【図１ｃ】光学ディスプレイの代表的実施形態の分解図である。
【図２ａ】光学フィルムユニットの第１の代表的実施形態の上面および側面図である。
【図２ｂ】光学フィルムユニットの第１の代表的実施形態の上面および側面図である。
【図２ｃ】光学フィルムユニットの第２および第３の代表的実施形態の上面および側面図である。
【図２ｄ】光学フィルムユニットの第２および第３の代表的実施形態の上面および側面図である。
【図３ａ】光学フィルムユニットの第４の代表的実施形態の上面および側面図である。
【図３ｂ】光学フィルムユニットの第４の代表的実施形態の上面および側面図である。
【図３ｃ】光学フィルムユニットの第５の代表的実施形態の上面図である。
【図４ａ】光学フィルムユニットの第６の代表的実施形態の上面および側面図である。
【図４ｂ】光学フィルムユニットの第６の代表的実施形態の上面および側面図である。
【図４ｃ】光学フィルムユニットの第７の代表的実施形態の上面図である。
【図５】シャーシ内に組み込まれた光学フィルムユニットの断面図である。
【図６】シャーシ内に組み込まれた光学フィルムパッケージの断面図である。
【図１ａ】
2008527460.tif 000003
【図１ｂ】
2008527460.tif 000004
【図１ｃ】
2008527460.tif 000005
【図２ａ】
2008527460.tif 000006
【図２ｂ】
2008527460.tif 000007
【図２ｃ】
2008527460.tif 000008
【図２ｄ】
2008527460.tif 000009
【図３ａ】
2008527460.tif 000010
【図３ｂ】
2008527460.tif 000011
【図３ｃ】
2008527460.tif 000012
【図４ａ】
2008527460.tif 000013
【図４ｂ】
2008527460.tif 000014
【図４ｃ】
2008527460.tif 000015
【図５】
2008527460.tif 000016
【図６】
2008527460.tif 000017
【国際調査報告】
2008527460.tif 000018
2008527460.tif 000019